(57)【要約】【課題】  コロガリ軸受および静圧軸受の両者の優れた面、すなわちコロガリ軸受においては、負荷荷重、剛性で優れた特性を発揮し、また静圧軸受においては、アキシャル方向の精度の良いロール軸受とした特性を発揮できるロールの軸受方法を提供することを課題とする。 【解決手段】  ロールの幅方向の両端部にある軸に、それぞれロールの幅方向の中心側から順に、静圧軸受次いでコロガリ軸受を直列に取り付け、回転自在に支承することを特徴とするロールの軸受方法とした。また、ロールの幅方向の両端部にある軸に、それぞれロールの幅方向の中心側から順に、コロガリ軸受次いで静圧軸受を直列に取り付け、回転自在に支承することを特徴とするロールの軸受方法とした。  静圧軸受は、空気静圧軸受であることを特徴とするロールの軸受方法とした。  静圧軸受は、前述の空気軸受に替えて、油静圧軸受としたことを特徴とするロールの軸受方法とした。【選択図】        図１
2011241955.tif 000002
【特許請求の範囲】
【請求項１】
ロールの幅方向の両端部にある軸に、それぞれロールの幅方向の中心側から順に静圧軸受、次いでコロガリ軸受を直列に取り付け、回転自在に支承することを特徴とするロールの軸受方法。
【請求項２】
ロールの幅方向の両端部にある軸に、それぞれロールの幅方向の中心側から順にコロガリ軸受、次いで静圧軸受を直列に取り付け、回転自在に支承することを特徴とするロールの軸受方法。
【請求項３】
前記静圧軸受は、空気静圧軸受であることを特徴とする請求項１または請求項２に記載のロールの軸受方法。
【請求項４】
前記静圧軸受は、油静圧軸受であることを特徴とする請求項１または請求項２に記載のロールの軸受方法。
【発明の詳細な説明】
【技術分野】
【０００１】
本発明は、精密機械のロールあるいはコーティング材料をフィルムにコーティングする際に用いるコーティングロール等のロールの軸受方法に関する。
【背景技術】
【０００２】
従来からこの種ロールの軸受方法は、図２および図３に示されるように、ロール１の幅方向の両端部にある軸２をコロガリ軸受３により回転自在に支承するもの、あるいはロール４の幅方向の両端部にある軸５を、図３の矢印ａのように空気または圧油を作用させ、内径面の孔６から軸５の外周面に吹き出し、軸５を回転自在に支承するために静圧軸受７を用いる方法が周知である。
【先行技術文献】
【特許文献】
【０００３】
【特許文献１】特開２００３‐２０００９１号公報
【発明の概要】
【発明が解決しようとする課題】
【０００４】
しかしながら、前述の二つの方法は、それぞれ長所、欠点が有った。即ち前者は、負荷荷重および剛性において優れているものの、回転精度において劣るという欠点があった。また後者は、その逆であって、回転精度やアキシャル方向のフレ精度などの全体的な精度は良いものの、負荷荷重および剛性において劣っていた。
【０００５】
このようなそれぞれの特性のため、クリーンルームのような清潔な環境においてアキシャル方向に精度良く、またラジアル方向に一定の負荷加重および剛性の必要な精密機械、例えばワークの付加加重の必要なロール研削盤あるいは精密な工程を必要とする印刷機械、精密シート成形用押出成形機、または、精密転写装置（インプリント装置）等が好適な例であるが、そのような精密機械に使用されるためにこの種のロールに要求される負荷荷重および剛性が優れ、しかもロールのアキシャル方向の振れが、例えば１μｍあるいはそれ以下とするような精密なロールの支承は、一般に困難であった。
【０００６】
本発明の目的は、前述のようなコロガリ軸受、静圧軸受を、それぞれ単独に使用した場合の欠点を取り除き、両者の優れた面のみ発揮できるロールの軸受方法を提供することにある。
【０００７】
そのためにラジアル方向には負荷荷重、剛性で優れたコロガリ軸受を、アキシャル方向にはフレ精度に優れた静圧軸受を用いたハイブリット方式にすれば良く、特にクリーンルームのような清潔な室内環境内で稼動される印刷機械あるいは精密ロール旋盤などに使用されるロール軸受において使用可能とするよう、空気静圧軸受とコロガリ軸受を組み合わせれば良い、という結論に達し、本発明に至った。
【課題を解決するための手段】
【０００８】
前述の目的を達成するため本発明は、ロールの幅方向の両端部にある軸に、それぞれロールの幅方向の中心側から順に静圧軸受、次いでコロガリ軸受を直列に取り付け、回転自在に支承するロールの軸受方法とした。
【０００９】
さらにまた、本発明は、ロールの幅方向の両端部にある軸に、それぞれロールの幅方向の中心側から順にコロガリ軸受、次いで静圧軸受を直列に取り付け、回転自在に支承することを特徴とするロールの軸受方法とした。
【００１０】
静圧軸受は、空気静圧軸受であることを特徴とするロールの軸受方法とした。
【００１１】
さらにまた、静圧軸受は、空気静圧軸受であることを特徴とするロールの軸受方法としてもよい。
【発明の効果】
【００１２】
この発明によれば、コロガリ軸受および静圧軸受の、それぞれの優れた部分が発揮され、負荷荷重、剛性で優れた、しかもアキシャル精度は良いというロールの軸受方法となった。
【図面の簡単な説明】
【００１３】
【図１】この発明が適用されるロールの軸受方法の概略図である。
【図２】従来のロールの軸受方法を示す概略図である。
【図３】他の従来のロールの軸受方法を示す概略図である。
【発明を実施するための形態】
【００１４】
次に本発明の一実施形態例を図１を用いて説明する。符号１０は、ロールユニットを示しており、ロール１１の両端部にある軸１２および１３にそれぞけロールの幅方向の中心側から順に、静圧軸受１４、次いでコロガリ軸受１５を取り付け、ロール１１を回転自在に支承している。静圧軸受１４には、継手１６から孔１７を経てロール１１の側面Ａに開口している空気室１８に空気源１９からの圧力空気が供給されるようにしてある。
【００１５】
符号２０は、ロール１１と一体的に取り付けてあるビルトインモータを示しており、このビルトインモータ２０自身でロール１１を回転するように構成し、他の機構、例えば回転の伝達機構や結合機構を必要としないので、ロール１１の振れを小さくすることが可能である。
【００１６】
ここで前述の静圧軸受１４は、空気静圧軸受で説明をしたが、勿論空気に限らず油静圧軸受としても良い。
【００１７】
以上好適な実施形態例を用いて説明したように、上述の構成となっているので、コロガリ軸受と静圧軸受のそれぞれの優れた部分が適所に用いられた結果、ラジアル方向に高加重に耐え剛性の高く、アキシャル方向にフレ精度の高い優れた軸受となった。
【００１８】
なお、上述の実施形態例においては、両端の軸受部は、ロールの幅方向の中心側からそれぞれ静圧軸受およびコロガリ軸受の順番として配置したが、別な実施形態の例として、この順序を入れかえて構成しても良い。すなわちロール両端の軸受部において、アキシャル方向にロールの幅方向の中心側から、それぞれ転がり軸受ついで静圧軸受の順番で配置しても良く、このように構成しても、同様な効果は期待できる。
従って、したがってこのような実施形態例を使用した精密ロール旋盤等の精密加工機械、精密印刷機械、精密転写装置(インプリント装置)等において、剛性と精度の両方を備えた特性を必要とするような使用を必要とするときには、上述のような実施の形態を採用できる。
【符号の説明】
【００１９】
１０  ロールユニット
１１  ロール
１２、１３  軸
１４  静圧軸受
１５  コロガリ軸受
１６  継手
１７  孔
１８  空気室
１９  空気源
２０  ビルトインモータ
【図１】
2011241955.tif 000003
【図２】
2011241955.tif 000004
【図３】
2011241955.tif 000005